(57)【要約】【課題】  デジタルカメラで撮影した画像の撮影時刻情報の精度を向上する。【解決手段】  カメラの時刻を校正した情報を画像に付加することで、カメラからコンピュータにデータが移動したのちにも撮影時刻を補正することを可能とする。【選択図】  図１
2005328436.tif 000002
【特許請求の範囲】
【請求項１】
デジタルカメラとその撮影画像を保存するメモリカードとコンピュータ装置とで構成されるシステムにおいて、デジタルカメラで撮影した画像をメモリカードに保存する際に画像データと共に付帯情報として撮影時刻とカメラIDを書き込む手段と、校正のための現在時刻を入力する手段と、入力された現在時刻をカメラ内の不揮発性メモリに記憶する手段と、内蔵時計と、内蔵時計の現在時刻を指定された現在時刻に合わせる校正手段と、時計を合わせた時刻を校正時刻としこれら校正時刻と前回の校正時刻および内蔵時計の現在時刻と校正した時刻との差分である校正量とあらかじめ不揮発性メモリに記憶されているカメラIDをメモリカードに校正情報ファイルとして書き込む手段とを有し、コンピュータ側でメモリカードから画像ファイルを読み込む手段と、読み込んだ画像ファイルをコンピュータに接続されたハードディスクに保存する手段と、メモリカードから校正情報ファイルを読み込む手段と、ハードディスクから保存された画像ファイルの付帯情報を読み込む手段と、付帯情報のカードIDと校正情報のカードIDとを比較する手段と、付帯情報の撮影時刻と校正情報の校正時刻と前回の校正時刻とを比較する手段とを有し、カードIDが一致した画像に対して撮影時刻が校正時刻と前回の校正時刻との間にある場合は撮影時刻に校正量を加えた時刻に置き換えて画像ファイルに書き戻すことを特徴とする画像撮影時刻校正システム。
【請求項２】
請求項１において、１つのメモリカードに複数のデジタルカメラで作成した校正情報ファイルが保存されている場合に、コンピュータにおいてカードIDの一致を複数個分繰り返すことにより複数のデジタルカメラで撮影した画像の撮影時刻を同時に校正することを特徴とする画像撮影時刻構成システム。
【発明の詳細な説明】
【技術分野】
【０００１】
デジタルカメラで撮影した画像を後から閲覧、加工、プリントなどを行なうといった分野。
【背景技術】
【０００２】
従来は、特開2003-309802にあるように、デジタルカメラに対して正確な現在時刻を指定する手段を有し、指定した時点でカメラ内で内蔵時計を合わせると共にその時点でメモリカード内に記憶されている画像データ内の撮影時刻情報を補正して書き換えることができる。
【特許文献１】特開２００３−３０９８０２
【発明の開示】
【発明が解決しようとする課題】
【０００３】
しかし、従来技術では上記校正行為を行なう前にメモリカード内の画像ファイルをコンピュータ内の記憶装置に移動するなどしていた場合はこれらコンピュータ内の画像ファイルの撮影時刻を補正することは出来なかった。
【課題を解決するための手段】
【０００４】
そこで、本発明ではカメラ側でメモリカードに校正情報を保存し、コンピュータ側で該メモリカードに保存された校正情報とコンピュータに既に保存されている同じカメラで撮影した画像ファイルの撮影情報を比較することでコンピュータ内の画像ファイルに対して撮影時刻を補正することが可能となる。
【発明の効果】
【０００５】
本発明により、デジタルカメラ内のみならずコンピュータに保存された画像ファイルに対して撮影時刻の補正をおこなうことが可能となる。
【発明を実施するための最良の形態】
【０００６】
（実施例１）
図１は本発明の実施例１のシステム構成例を示すものである。
【０００７】
デジタルカメラ、メモリカード、およびコンピュータ装置という機器構成である。
【０００８】
図２は本発明の実施例１におけるカメラ側の構成例を示すものである。
【０００９】
１０は制御装置、２０は撮像装置、３０は時刻指定入力装置、４０はメモリカード装置、１０制御装置内の１１は不揮発性メモリ、１２は撮像データ読み取り手段、１３はメモリカード書き込み手段、１４はメモリカード読み取り手段、１５は指定時刻読み取り手段、１６は内蔵時計、１７は内蔵メモリである。
【００１０】
以下に、カメラ側での処理の詳細を示す。
【００１１】
デジタルカメラにおいて、２０撮像装置で撮像された画像データを１２撮像データ読み取り手段で読み取り、１３メモリカード書き込み手段でメモリカードに保存する。その際、画像データに付帯して１６内蔵時計から得られた現在時刻を撮影時刻として同時にファイルに保存する。同様に、１１不揮発性メモリにあらかじめ記憶されているカメラIDと、校正時刻として０を付帯情報として画像ファイルに保存する。図４にメモリカードに保存される画像ファイルの構成を示す。
【００１２】
ここで、３０時刻指定入力装置により正確な時刻が入力されると１５指定時刻読み取り手段により校正時刻を読み取るとともに１６内蔵時計から現在時刻を取得しその差分を校正量として１７内蔵メモリに保持し、１１不揮発性メモリに保存されている前回の校正時刻を取得し、校正時刻、前回の校正時刻、校正量、１１不揮発性メモリにあらかじめ記憶されているカメラIDを１３メモリカード書き込み手段を通じて４０メモリカードに対して校正情報ファイルとして保存する。図５にメモリカードに保存される校正情報ファイルの構成を示す。
【００１３】
図３は本発明の実施例１におけるコンピュータ側の構成例を示すものである。
【００１４】
１００は制御装置、２００はハードディスク装置、３００はメモリカード装置、１００制御装置内の１０１は時刻計算手段、１０２はメモリカード読み込み手段、１０３はメモリカード書込み手段、１０４はハードディスク読み込み手段、１０５はハードディスク書込み手段、１０６は記憶装置である。
【００１５】
以下に、コンピュータ側での処理の詳細を示す。
【００１６】
カメラ側で校正をする前の状態のメモリカードから１０２メモリカード読み込み手段により画像ファイルを読み込み、１０４ハードディスク読み込み手段を通じて２００ハードディスク装置に書き込む。
【００１７】
次に、カメラ側で校正をした後のメモリカードから校正情報ファイルを読み込み１０６記憶装置に保持する。２００ハードディスク装置に既に保存されている画像ファイルを順に読み込みその付帯情報のうちカードIDが前記校正情報のカードIDが一致し、かつ付帯情報の校正時刻が０つまりまだ当該画像ファイルに対して校正を行なっておらず、かつ付帯情報の撮影時刻が校正情報の前回の校正時刻と校正時刻との間である場合に、校正量にもとづき画像の撮影時刻の補正を行なう。その際の補正式は以下のとおり、
T:撮影時刻
C0:前回校正時刻
C1:校正時刻
DT:校正量
T = T + DT * (T - C0)/(C1-C0)
補正した撮影時刻と校正時刻を当該画像ファイルの付帯情報として書き戻す。
【００１８】
同様の処理をハードディスクにある全ての画像ファイルに対して実行する。
【００１９】
図６はコンピュータ側での処理内容をフローチャートで示したものである。
【図面の簡単な説明】
【００２０】
【図１】本発明の従来例を示すシステム構成である。
【図２】本発明の実施例１におけるカメラ側の構成例を示すものである。
【図３】本発明の実施例１におけるPC側の構成例を示すものである。
【図４】実施例１におけるデジタルカメラで撮影してメモリカードに保存する画像ファイル内のデータ構造を示したものである。
【図５】実施例２におけるデジタルカメラがメモリカードに保存する校正情報ファイルのデータ構造を示したものである。
【図６】実施例１のPC側での処理内容をフローチャートで示したものである。
【符号の説明】
【００２１】
１０  制御装置
１１  不揮発性メモリ
１２  撮像データ読み取り手段
１３  メモリカード書き込み手段
１４  メモリカード読み取り手段
１５  指定時刻読み取り手段
１６  内蔵時計
２０  撮像装置
３０  時刻指定入力装置
４０  メモリカード装置
１００  制御装置
１０１  時刻計算手段
１０２  メモリカード読み込み手段
１０３  メモリカード書込み手段
１０４  ハードディスク読み込み手段
１０５  ハードディスク書込み手段
１０６  記憶装置
２００  ハードディスク装置
３００  メモリカード装置
C1  校正時刻
C0  前回校正時刻
DT  校正量
ID  カメラID
【図１】
2005328436.tif 000003
【図２】
2005328436.tif 000004
【図３】
2005328436.tif 000005
【図４】
2005328436.tif 000006
【図５】
2005328436.tif 000007
【図６】
2005328436.tif 000008